(57)【要約】      （修正有）【課題】柄を握る手指が地面に接触することを防止して効率よく草刈作業ができるとともに、鎌体を作業者側に引くことなく安全に雑草を刈取ることができる草刈鎌を提供する。【解決手段】柄の先端に設けられた鎌体３からなる草刈鎌であって、鎌体３は、プレス加工した鋼板の両面の縁を研摩して形成された両刃の刃先４ａを備えた刃部４と、柄の先端に差し込んで固定する差込部５と、刃部４と差込部５との間に折曲形成した段部６と、を有することを特徴とするものである。【選択図】図２
0003215786.tif 000002
【実用新案登録請求の範囲】
【請求項１】
柄の先端に設けられた鎌体からなる草刈鎌であって、鎌体は、プレス加工した鋼板の両面の縁を研摩して形成された両刃の刃先を備えた刃部と、柄の先端に差し込んで固定する差込部と、刃部と差込部との間に折曲形成した段部と、を有することを特徴とする草刈鎌。
【請求項２】
段部は、差込部と刃部とが連接するように略Ｓ字状に折曲形成されるとともに、差込部が緩やかな角度で上方に傾斜することを特徴とする請求項１に記載の草刈鎌。
【請求項３】
段部は、該段部の幅方向中央において段部の強度を保つための凸状のリブを備え、前記リブは、刃部と前記段部との折曲線近傍で徐々に広がる扇形の形状とすることを特徴とする請求項１又は２のいずれか一項に記載の草刈鎌。
【請求項４】
刃先は、刃先の基端から中間付近まで曲率の小さいほぼ直線状に形成されるとともに、刃先の中間付近から先端まで曲率の大きい円弧状に形成されていることを特徴とする請求項１ないし３のいずれか一項に記載の草刈鎌。
【考案の詳細な説明】
【技術分野】
【０００１】
本考案は、庭地や農地等の雑草を刈取るための草刈鎌に関する。
【背景技術】
【０００２】
従来の草刈鎌は、柄の先端に刃体が取付けられたものであり、その刃体の刃先は、柄の長手方向に対して略直角方向に配設されるものであり、例えば、特許文献１に記載された発明には、刃体である略逆Ｌ字状に形成された略直角の鎌体１が開示されている。このような鎌体１を備えた草刈鎌は、鎌体１の刃先を雑草に当てた状態から鎌体１を作業者側に引くことによって、雑草等を効率よく刈取ることができる。
【先行技術文献】
【特許文献】
【０００３】
【特許文献１】実公昭３５−５８０９号公報
【考案の概要】
【考案が解決しようとする課題】
【０００４】
しかしながら、上記特許文献１に記載された考案などの草刈鎌において、雑草等の根本付近に鎌体１を当てて刈り取ろうとすると、柄を握った手指が地面に接触してしまうおそれがあり、効率よく草刈作業を行うことができない。また、雑草を刈り取るためには作業者側に略逆L字状の鎌体１を作業者側方向に引くことによって切れ味を発揮するために、鎌体の刃先等が誤って作業者の足などに接触して負傷するおそれがある。
【０００５】
したがって、本考案は、柄を握る手指が地面に接触することを防止して効率よく草刈作業ができるとともに、鎌体を作業者側に引くことなく安全に雑草を刈取ることができる草刈鎌を提供することを目的とする。
【課題を解決するための手段】
【０００６】
上記課題に鑑み、本考案は、柄の先端に設けられた鎌体からなる草刈鎌であって、鎌体は、プレス加工した鋼板の両面の縁を研摩して形成された両刃の刃先を備えた刃部と、柄の先端に差し込んで固定する差込部と、刃部と差込部との間に折曲形成した段部と、を有することを特徴とする草刈鎌である。
【０００７】
また、上述した構成に加え、段部は、差込部と刃部とが連接するように略Ｓ字状に折曲形成されるとともに、差込部が緩やかな角度で上方に傾斜することを特徴とするものである。
【０００８】
また、上述した構成に加え、段部は、該段部の幅方向中央において段部の強度を保つための凸状のリブを備え、前記リブは、刃部と前記段部との折曲線近傍で徐々に広がる扇形の形状とすることを特徴とするものである。
【０００９】
また、上述した構成に加え、刃先は、刃先の基端から中間付近まで曲率の小さいほぼ直線状に形成されるとともに、刃先の中間付近から先端まで曲率の大きい円弧状に形成されていることを特徴とするものである。
【考案の効果】
【００１０】
請求項１ないし３記載の考案によれば、緩やかな角度で上方に傾斜する差込部と刃部とが連接するように折曲形成された段部を介して差込部に柄を固定することで、従来の草刈鎌に比べて、柄を上方に傾斜させて配置することができ、柄を握った手指が地面に接触することを防止するとともに、雑草を根本付近から刈取ることができる草刈鎌を提供することが可能である。
【００１１】
請求項４記載の考案によれば、刃先の中間付近から先端までの曲率の大きい刃先部分によって、左から右に振ることでより雑草の根本付近をしっかりと巻き込みつつ、刃先の基端から中間付近までの曲率の小さいほぼ直線状の刃先部分によって、従来の略逆L字状の鎌体を備えた草刈鎌の引くことによる刃先の移動と同様になるため、作業者側に刃先を引くことなく作業者にとって安全に雑草を刈取ることが可能である。       
【図面の簡単な説明】
【００１２】
【図１】本考案の実施形態に係る草刈鎌を示す斜視図である。
【図２】図１の鎌体のみの平面図である。
【図３】図１の鎌体のみの側面図である。
【図４】図１の草刈鎌の使用状態を示す(a)側面図、(b)刈取り始めの状態を示す平面図、(c)刈取り終了時の状態を示す平面図である。
【考案を実施するための形態】
【００１３】
(実施形態)
本考案の実施形態について図に基づいて詳細に説明する。
図１に示すように、柄２の先端に設けられた鎌体３からなる草刈鎌１であって、鎌体３は、プレス加工した鋼板の両面の縁を研摩して形成された両刃の刃先４ａを備えた刃部４と、柄２の先端に差し込んで固定する差込部５と、刃部４と差込部５とが連接するように折曲形成された段部６と、を有するものである。また、この鎌体３の平面上には、刃先４ａに対して一定の間隔を空けた中心付近に凹溝４ｂを設けることで、より鎌体３の強度を高めることが好ましい。
【００１４】
段部６は、図３に示すように鎌体３の側面からみて、緩やかな角度で上方に傾斜する差込部５と刃部４とが連接するように略Ｓ字状に折曲形成される。この段部６は、刃部４と近接する位置で折曲する第１折曲線６ａと、差込部５のやや刃部４側で折曲する第二折曲線６ｂと、からなる折曲線を有するものであり、この第１折曲線６ａは、刃部４が段部６から連続して湾曲する手前側に位置している。より具体的には、この段部６は、刃部４の平面に対して、第１折曲線６ａにおいて約６０度の角度で上方に向けて折曲されるとともに、第２折曲線６ｂにおいて刃部４の平面に対して約１０度の角度で上方に向けて折曲されることが好ましい。これにより、緩やかな角度で上方に傾斜する差込部５が形成される。この段部６によれば、刃部４や差込部５などに捻り等を加えずに、使用者の手が地面等に触れないようにしている。
【００１５】
また、この段部６は、段部６の幅方向中央において、刃部４から差込部５にかけて、段部６の強度を保つため、その表面を凸状にしたリブ７を有する。このリブ７は、第１折曲線６ａより刃部４側から第２折曲線６ｂより差込部５側にかけて形成され、第１折曲線６ａの付近では徐々に幅広となる略扇形状とし、第２折曲線６ｂの付近では同一の所定幅とすることで、刃部４の湾曲に応じてより一層強度を高めることが可能である。
【００１６】
刃先４ａは、図２に示すように、刃先４ａの基端から中間付近まで曲率の小さいほぼ直線状に形成されるとともに、刃先４ａの中間付近から先端まで曲率の大きい円弧状に形成されている。この刃先４ａの基端から中間付近までの直線Ｙは、柄２の長手方向の中心軸Ｘに対して鈍角θ（例えば約１２５度）にすることが好ましい。
【００１７】
柄２は、図１及び図４に示すように、略円柱状の棒体からなり、その先端に鎌体３の差込部５を差し込みうる細溝が柄２の長手方向において中心軸Ｘに沿って形成され、該細溝に鎌体３の差込部５を差し込んだ状態において差込部５と棒体とをボルト等で固定し得るものである。
【００１８】
次に、上述した構成からなる草刈鎌１の使用状態を図４に基づいて説明する。
【００１９】
図４(a)は、作業者が雑草Ｗの根本付近に刃先４ａを当接させた刈取り始めの状態を示している。このとき、差込部５と刃部４とが連接するように折曲形成された段部６と、この段部６に連続して上方に傾斜して形成された差込部５に柄２を固定することで、従来の草刈鎌に比べて、柄２を上方に傾斜させて配置することができ、柄を握る作業者の手指Ｆが、従来の草刈鎌に比べて、地面Ｇから離れるために、手指Ｆが地面Ｇに接触することを防止しながら雑草Ｗを根本付近から刈取ることが可能である。
【００２０】
また、図４(b)、(c)は、刃先４ａを作業者側に引くことなく、作業者の前方付近で左右方向に振ることで雑草Ｗを刈取る状態を示している。このとき、刃先４ａの中間付近から先端までの曲率の大きい刃先部分を左から右に振ることによって、雑草Ｗの根本付近をしっかりと巻き込みつつ、刃先４ａの基端から中間付近までの曲率の小さいほぼ直線状の刃先部分によって刈取ることができ、刃先４ａを作業者側に引くことなく安全に雑草Ｗを刈取ることが可能である。
【００２１】
したがって、上述した構成によって、柄２を握った手指Ｆが地面Ｇと接触することを防止しながら雑草Ｗを根本付近から効率よく刈取ることができるとともに、鎌体３を作業者側に引くことなく安全に雑草Ｗを刈取ることができる草刈鎌１を提供することが可能である。
【符号の説明】
【００２２】
１…草刈鎌、２…柄、３…鎌体、４…刃部、４ａ…刃先、４ｂ…凹溝、５…差込部、６…段部、６ａ…第１折曲線、６ｂ…第２折曲線、７…リブ、θ…角度、Ｗ…雑草、Ｙ…直線、Ｘ…中心軸、Ｆ…手指、Ｇ…地面
【図１】
0003215786.tif 000003
【図２】
0003215786.tif 000004
【図３】
0003215786.tif 000005
【図４】
0003215786.tif 000006